【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
電気生理学情報の視覚化のための方法であって、
ある期間にわたる臓器の表面での電気的活動を表す電気解剖学的データを記憶装置に格納することと、
ユーザの選択に応動して、前記期間内の間隔を選択することと、
前記間隔のユーザの選択に応動して、少なくとも１つの方法を前記電気解剖学的データに適用することにより、前記ユーザが選択した間隔に対する生理的情報の視覚表示を生成することであって、前記視覚表示は、前記臓器の表面の所定領域のグラフィック表示上に空間的に示されることと、
を備える方法。
【請求項２】
前記少なくとも１つの方法は、前記ユーザが選択した間隔に従って、前記臓器の表面の所定領域上の複数の箇所の各々に対して興奮伝達時間を計算するようにプログラムされ、
前記ユーザが選択した間隔を変更するユーザ入力を受取ることと、
前記少なくとも１つの方法を前記電気解剖学的データに再適用し、変更されたユーザが選択した間隔に従って、前記複数の箇所の各々に対する興奮伝達時間を計算することと、
前記少なくとも１つの方法の再適用に基づいて、前記視覚表示を動的に変更することと、
をさらに備える、請求項１に記載の方法。
【請求項３】
前記少なくとも１つの方法は、前記ユーザが選択した間隔に従って、前記臓器の表面の所定領域上の複数の箇所の各々に対して複数の興奮伝達時間を計算するようにプログラムされ、
前記複数の箇所の各々に対する連続的な興奮伝達時間の間の周期長を判断することと、
少なくとも１つの周期長と、前記複数の箇所の各々に対する多数の興奮伝達時間とを示す空間的マップとして前記視覚表示を生成することと、
をさらに備える、請求項１に記載の方法。
【請求項４】
前記少なくとも１つの方法は、前記ユーザが選択した間隔に従って、前記臓器の表面の所定領域上の複数の箇所の各々に対して興奮伝達時間を計算するようにプログラムされ、
ユーザ入力に応答して、ユーザが定義した周期長を設定することと、
前記ユーザが定義した周期長と、前記複数の箇所の各々に対して計算された興奮伝達時間との自動相関に基づいて、前記臓器の表面の所定領域に重ね合わせられたマップとして前記視覚表示を生成することと、
をさらに備える、請求項１に記載の方法。
【請求項５】
前記少なくとも１つの方法は、前記ユーザが選択した間隔に従って、前記複数の箇所の各々に対する周波数スペクトルを計算することによって、前記臓器の表面の所定領域上の複数の箇所に対して周波数を分析するようにプログラムされ、
前記ユーザが選択した間隔を変更するユーザ入力を受取ることと、
前記少なくとも１つの方法を前記電気解剖学的データに再適用し、前記変更されたユーザが選択した間隔に従って、前記複数の箇所の各々に対して周波数スペクトルを計算することと、
前記少なくとも１つの方法の再適用に基づいて、前記視覚表示を動的に変更することと、
をさらに備える、請求項１に記載の方法。
【請求項６】
前記少なくとも１つの方法は、前記ユーザが選択した間隔に従って、前記複数の箇所の各々に対する周波数スペクトルを計算することによって、前記臓器の表面の所定領域上の複数の箇所に対して周波数を分析するようにプログラムされ、
前記複数の箇所の各々に対する周波数スペクトルにおける優位周波数を判断することと、
前記複数の箇所の各優位周波数に対する規則性の指示を判断することと、
前記複数の箇所の各々の規則性の指示に基づく空間的マップとして前記視覚化を生成すること（ここで、前記空間的マップが、前記臓器の表面の所定領域上に重ね合わせられていることを特徴とする）と、
をさらに備える、請求項１に記載の方法。
【請求項７】
前記臓器の表面の所定領域のグラフィック表示上の少なくとも１つの仮想電極のためのユーザが選択した位置に対応する位置データを定義するユーザ入力を受取ることと、
前記少なくとも１つの方法の前記位置データおよび電気解剖学的データへの適用に基づいて、各少なくとも１つの仮想電極の場合の電気生理学データの独立した視覚表示を生成することと、
をさらに備える、請求項１に記載の方法。
【請求項８】
前記視覚表示は、電気解剖学的マップのグラフィック表示を含み、
前記ユーザ入力に応答して、前記臓器の表面の所定領域の対話型グラフィック表示に、前記少なくとも１つの仮想電極のグラフィック表示を重ね合わせることをさらに備える、請求項７に記載の方法。
【請求項９】
２つ以上の仮想電極の電気的データ間の空間的比較、異なる時間における同じ１つ以上の仮想電極間の時間的比較、異なる仮想電極間の異なる時間における空間的・時間的比較、
のうちの、ユーザーが選択した１つの比較データを生成することをさらに備える、請求項７に記載の方法。
【請求項１０】
前記少なくとも１つの仮想電極のためのユーザが選択した位置は、第１の位置を含み、
前記少なくとも１つの仮想電極を、前記第１の位置から、前記少なくとも１つの仮想電極のためにユーザーが選択した第２の位置へ再配置することと、
前記少なくとも１つの方法を、前記ユーザーが選択した第２の位置における、前記ユーザが選択した間隔に対する前記電気解剖学的データに再適用することと、
前記少なくとも１つの方法の再適用に基づいて、前記視覚表示を変更することと、
をさらに備える、請求項７に記載の方法。
【請求項１１】
前記ユーザが選択した間隔は、前記時間間隔におよぶスタート時間および終了時間を定義し、
前記臓器の表面の所定領域のグラフィック表示によって空間的に示された生理学的情報の時間的変化を表すために、動画的方法で前記視覚表示を動的に変更することをさらに備える、請求項１に記載の方法。
【請求項１２】
前記動的に変更された視覚表示に対応する前記間隔における現在時刻の指示を生成することをさらに備え、
前記間隔は、前記臓器の表面の所定領域上の少なくとも１つの箇所に対する時間的電気生理学情報の対話型グラフィック表示から選択され、前記現在時刻の指示は、前記現在時刻を示すための、前記時間的電気生理学情報のグラフィック表示におけるある位置に表示されるグラフィック要素をさらに備える、請求項１１に記載の方法。
【請求項１３】
前記スタート時間と停止時間の間で繰り返し横断することと、前記間隔の各横断中に、前記視覚表示を動的に変更することとをさらに備える、請求項１２に記載の方法。
【請求項１４】
反転法を適用して、非侵襲体表電極を介して患者のために取得された患者の電気的データと、該患者のために取得された患者の形状データとに基づいて、前記臓器の表面の所定領域に対する電気解剖学的データを計算することをさらに備え、
前記計算された電気解剖学的データは、前記臓器の表面の所定領域にわたって分布する前記複数の箇所の各々に対して、前記期間にわたって時間インデックスが付けられている瞬間的な電気的活動に対応している、請求項１に記載の方法。
【請求項１５】
前記選択された間隔は分析間隔であり、
患者から取得した電気的データを前処理することをさらに備え、ここで、前記電気解剖学的データは、該取得した電気的データから導出されることを特徴とし、
前記前処理することは、少なくとも１つのサンプル間隔が一定のままである間は、前記視覚表示が前記分析間隔の変更に応答する変数となるように、前記取得した電気的データのための前記少なくとも１つのサンプル間隔を選択することをさらに備え、
前記少なくとも１つのサンプル間隔は、多数の時間的に不連続のサンプル間隔を含み、
前記多数の時間的に不連続のサンプル間隔の各々に対して取得した電気的データを統合して、該電気的データのスプライシングされたセットを生成すること（ここで、前記電気解剖学的データは、該電気的データのスプライシングされたセットに基づいて生成されることを特徴とする）をさらに備える、請求項１に記載の方法。